(57)【要約】【課題】広いスイートスポットを持ち、且つ、打球感にも優れたゴルフクラブを提供する。【解決手段】背面が深く掘り込まれたいわゆるキャビティアイアンのクラブフェイス２が厚さ１．０〜３．５ｍｍに形成され、そのクラブフェイス２の背面中心部分にクラブフェイス部材の２倍以上の比重を持つ部材からなるバランス調整用質量体３を配設するようにしたゴルフクラブであり、例えば比重が４．５であるＴｉを主成分とする、例えばＴｉ−６％Ａｌ−４％ＶのＴｉ合金（α−β合金）からなるクラブヘッド本体１のクラブフェイス２の背面に、例えば比重１９．２のタングステン製のバランス調整用質量体３を着脱自在に螺着する。また、バランス調整用質量体３周囲のクラブフェイス２は均一な厚さに形成する。また、クラブフェイス２の抗張力は９５０〜１３５０ＭＰａである。【選択図】　　　図１
2004057597.tif 000002
【特許請求の範囲】
【請求項１】
クラブフェイスが厚さ１．０〜３．５ｍｍに形成され、そのクラブフェイス背面中心部分にクラブフェイス部材の２倍以上の比重を持つ部材からなるバランス調整用質量体が配設されたことを特徴とするゴルフクラブ。
【請求項２】
バランス調整用質量体周囲のクラブフェイスが均一厚さに形成されたことを特徴とする請求項１記載のゴルフクラブ。
【請求項３】
バランス調整用質量体が着脱可能に設けられたことを特徴とする請求項１または２記載のゴルフクラブ。
【請求項４】
クラブフェイスの抗張力が９５０〜１３５０ＭＰａであることを特徴とする請求項１〜３何れかに記載のゴルフクラブ。
【発明の詳細な説明】
【０００１】
【発明の属する技術分野】
本発明は、ゴルフクラブに関するものである。
【０００２】
【従来の技術】
近年、図４（Ｂ）に示したようなクラブフェイス２の背面が深く掘り込まれたいわゆるキャビティアイアンのゴルフクラブ１００Ｘが登場し、図４（Ａ）に示したような従来のフラットバックと言われる背面が掘り込まれていないゴルフクラブ１００Ｙより、スイートスポットが広いと言うことで好評を博している。
【０００３】
しかし、クラブフェイス２回りの質量を相対的に増大させることでスイートスポットは拡大したが、クラブフェイス２の何処でボールを打っても代わり映えがせず、上級者にとっては逆に物足りなさを感じるクラブともなっていた。
【０００４】
そのため、打球感を向上させるために、図４（Ｃ）〜図４（Ｆ）に示したようにクラブフェイス２の背面の形状に工夫を凝らしてスイートスポットを狭めたゴルフクラブ１００Ｘ（１〜４）も提案されてきたが、未だにミスショットが出難く、且つ、打球感、飛距離にも優れたゴルフクラブは提供されていない。
【０００５】
【発明が解決しようとする課題】
したがって、広いスイートスポットを持ち、且つ、打球感にも優れたゴルフクラブを提供する必要があり、それが解決すべき課題となっていた。
【０００６】
【課題を解決するための手段】
本発明は上記従来技術の課題を解決するため、クラブフェイスを厚さ１．０〜３．５ｍｍに形成し、そのクラブフェイス背面中心部分にクラブフェイス部材の２倍以上の比重を持つ部材からなるバランス調整用質量体を配設するようにした第１の構成のゴルフクラブと、
【０００７】
前記第１の構成のゴルフクラブにおいて、バランス調整用質量体周囲のクラブフェイスを均一の厚さに形成するようにした第２の構成のゴルフクラブと、
【０００８】
前記第１または第２の構成のゴルフクラブにおいて、バランス調整用質量体を着脱可能に設けるようにした第３の構成のゴルフクラブと、
【０００９】
前記第１〜第３何れかの構成のゴルフクラブにおいて、クラブフェイスの抗張力が９５０〜１３５０ＭＰａであるようにした第４の構成のゴルフクラブと、
を提供するものである。
【００１０】
【発明の実施の形態】
以下、本発明の一実施形態を図１〜図３に基づいて詳細に説明する。なお、理解を容易にするため、これらの図においても前記図４において説明した部分と同様の機能を有する部分には、同一の符号を付した。
【００１１】
図１〜図３に示した本発明のゴルフクラブ１００も、クラブフェイス２の背面が深く掘り込まれたいわゆるキャビティアイアンであり、比重４．５のＴｉを主成分とする、例えばＴｉ−６％Ａｌ−４％ＶのＴｉ合金（α−β合金）からなるクラブヘッド本体１のクラブフェイス２の背面に、例えば比重が１９．２と大きいタングステン製のバランス調整用質量体３が着脱自在に螺着されている。
【００１２】
Ｔｉ合金からなるクラブヘッド本体１は、クラブフェイス２の輪郭部を除いて２．０ｍｍの均一な薄さに形成されている。そして、そのクラブフェイス２の抗張力は溶体化時効処理などにより、例えば１１７０ＭＰａに高められている。
【００１３】
また、比重が１９．２のタングステン製のバランス調整用質量体３は、バランス調整用質量体３を取り付けていないときのクラブヘッド本体１のスイートスポット（広いためスイートエリアとも言う）４の中央背面に螺着されている。
【００１４】
そして、本発明のゴルフクラブ１００においては、クラブフェイス２の単位面積当たりの質量は、バランス調整用質量体３が螺着されている部分は、バランス調整用質量体３が螺着されていない部分の１０倍以上となっている。また、バランス調整用質量体３は、バランス調整用質量体３を含むクラブヘッド本体１全体の質量の１０％を占める大きさに設けられている。
【００１５】
そのため、バランス調整用質量体３が螺着されたクラブヘッド本体１のスイートスポット５は、バランス調整用質量体３が螺着されていないときのスイートスポット４より狭くなっている。
【００１６】
すなわち、上記構成になる本発明のゴルフクラブ１００においては、スイートスポット５が従来のゴルフクラブ１００Ｘのスイートスポット４より狭まっているので、スイートスポット５でゴルフボール２００が打てたときには、ボールを芯で捉えたと言う確かな手応えがあり、スイートスポット５を外したときにはミスショットであったと自覚することができ、ショットの善し悪しが一打毎に明瞭に分かるので、上達が早くなる。
【００１７】
また、上記構成になる本発明のゴルフクラブ１００においては、図３（Ａ）に示したようにゴルフボール２００を図面左側から右方向に打つと、抗張力は１１７０ＭＰａと大きいが、輪郭部とバランス調整用質量体３螺着部を除いて肉厚が２．０ｍｍと薄いクラブフェイス２は図面左側に比較的大きく撓み、その撓みがクラブフェイス素材の高い抗張力により瞬時に元に戻るときのクラブフェイス２の変形スピードがクラブヘッド本体１のスピードに加算されるので、ゴルフボール２００にはインパクト時に極めて大きな力が作用する。
【００１８】
しかも、当初は図面左側に比較的大きく撓み、その撓みが素材の高い抗張力により元に戻り、さらにその反動で図面右側にまで撓む間中、クラブフェイス２はゴルフボール２００に接し（クラブフェイス２がゴルフボール２００に接している時間はスイングスピードにも拠る）、その間はゴルフボール２００に力が作用し続け、すなわち力積は増加し続けてゴルフボール２００の運動量を増加させるので、ゴルフボール２００の飛距離は大きく延びる。
【００１９】
一方、クラブフェイス２が３．０〜５．０ｍｍ程度と厚く、しかもバランス調整用質量体３を備えていない、抗張力の小さいステンレス鋼製などの従来のゴルフクラブ１００Ｘでは、スイートスポット４が広いため、一定水準以上のゴルファーが使用すればミスショットは出難いと言う特長はあるが、スイートスポット４が広過ぎてショットの善し悪しが分かり難い上に、図３（Ｂ）に示したようにゴルフボール２００を打ったときのクラブフェイス２の撓みは小さく、その撓みが元に戻るときの変形スピードも小さいので、その変形スピードがクラブヘッド本体１のスピードに加算されてもゴルフボール２００に作用する力は格別大きなものとはならず、したがってゴルフボール２００の初速を大きくする作用効果は小さく、飛距離はそれほど延びないと言った欠点がある。
【００２０】
なお、インパクト時にクラブフェイス２からゴルフボール２００に作用する力積を大きくするために、クラブフェイス２の抗張力は９５０〜１３５０ＭＰａである必要があり、且つ、１．０〜３．５ｍｍの薄肉に形成する必要がある。
【００２１】
すなわち、クラブフェイス２の肉厚が１．０ｍｍ未満であると、抗張力が１３５０ＭＰａを超えても、インパクト時の反発力が不足してゴルフボール２００の初速を十分大きくすることが困難である。また、クラブフェイス２の肉厚が３．５ｍｍを超えると、抗張力が９５０ＭＰａ以下であっても、所要の初速が得られる力積をインパクト時にクラブフェイス２からゴルフボール２００に与えることができるほどクラブフェイス２を変形させることができないので、クラブフェイス２の抗張力は前記のように９５０〜１３５０ＭＰａであることが必要であり、且つ、１．０〜３．５ｍｍの薄肉に形成する必要がある。
【００２２】
また、バランス調整用質量体３は、拡がり過ぎたスイートスポット４を所要の広さに効果的に狭めるためには、クラブフェイス２の比重の少なくとも２倍以上、好ましくは３倍以上の素材により作成する。
【００２３】
また、そのバランス調整用質量体３は、形状、質量の異なる複数個を用意しておき、試し打ちにより各ゴルファーに最適のバランス調整用質量体３を選択して取り付けるようにすることも可能である。
【００２４】
そして、その選択されたバランス調整用質量体３をかしめ、圧接、接着、溶接（電子ビーム溶接、レーザ溶接、ＴＩＧ溶接）、ろう付けなどにより、容易には外れないように固定しても良いし、その日の調子に合せて適宜選択して装着使用するように構成することも可能である。
【００２５】
【発明の効果】
以上説明したように、本発明はクラブフェイスを厚さ１．０〜３．５ｍｍに形成し、そのクラブフェイス背面中心部分にクラブフェイス部材の２倍以上の比重を持つ部材からなるバランス調整用質量体を配設するようにしたゴルフクラブであり、さらにバランス調整用質量体周囲のクラブフェイスを均一の厚さに形成するようにしたゴルフクラブであるので、バランス調整用質量体を設けた周囲にスイートスポットが縮まり、良いスイングをしてゴルフボールをスイートスポットで打てたときにはボールを真芯で捉えた確かな手応えがあり、スイートスポットを外したときにはミスショットであったと自覚することができ、ショットの善し悪しが一打毎に明瞭に分かるので、上達が早くなる。
【００２６】
また、バランス調整用質量体周囲のクラブフェイスを均一の厚さに形成するようにしたゴルフクラブにおいては、インパクト時にクラブフェイスが比較的容易に大きく変形する。そのため、クラブフェイスからゴルフボールに作用する力積は増加し易く、大きな初速を得て飛距離の増大を図ることが容易になる。
【００２７】
また、バランス調整用質量体を着脱可能に設けるようにしたゴルフクラブにおいては大きさ、形状、総質量の異なる複数のバランス調整用質量体を用意しておき、購入時に取り替えて試し打ちできるようにすることで、ゴルファー毎に最適のバランス調整用質量体を選定することができる。
【００２８】
また、クラブフェイスの抗張力を９５０〜１３５０ＭＰａとしたゴルフクラブにおいては、クラブヘッドの軽量化を図っても強い反発力を備えたクラブとすることができるので、振り易く、したがってヘッドスピードを上げて飛距離を伸ばすことが可能となる。また、クラブヘッドを軽くすることで、振り抜き易く、スイング時にバランスを崩すことも少なくなる。
【図面の簡単な説明】
【図１】本発明のゴルフクラブの説明図である。
【図２】本発明のゴルフクラブの断面説明図である。
【図３】インパクト時の説明図であり、（Ａ）は本発明ゴルフクラブの場合の説明図、（Ｂ）は従来ゴルフクラブの場合の説明図である。
【図４】従来のゴルフクラブの説明図である。
【符号の説明】
１　クラブヘッド本体
２　クラブフェイス
３　バランス調整用質量体
４、５　スイートスポット
１００、１００Ｘ、１００Ｙ　ゴルフクラブ
２００　ゴルフボール
【図１】
2004057597.tif 000003
【図２】
2004057597.tif 000004
【図３】
2004057597.tif 000005
【図４】
2004057597.tif 000006